(57)【特許請求の範囲】
【請求項１】
無線通信の方法であって、
第２のｅノードＢからインジケーションを受信することと、
第１のｅノードＢにおいて、前記インジケーションに少なくとも部分的に基づいて、サブフレーム・インタレースをほぼブランクなサブフレーム・インタレースへ動的に変化させることを決定することと、
前記ほぼブランクなサブフレーム・インタレースにおける新たなデータ送信を禁止することと、前記ほぼブランクなサブフレーム・インタレースにおける再送信を許可することとによって、前記決定にしたがい、前記サブフレーム・インタレースを、ブランクでないサブフレーム・インタレースから前記ほぼブランクなサブフレーム・インタレースへ移行させることと、
を備える方法。
【請求項２】
前記許可することは、予め定められた期間なされる、請求項１に記載の方法。
【請求項３】
前記期間の終了後、残りすべてのペンディングの再送信が破棄され、対応するパケットは欠陥であると考えられる、請求項２に記載の方法。
【請求項４】
前記予め定められた期間の終了後、インタレイヤ・アクノレッジメントを送信すること、をさらに備える請求項２に記載の方法。
【請求項５】
前記許可することは、すべてのペンディングの再送信に対してなされる、請求項１に記載の方法。
【請求項６】
すべてのペンディングの再送信が送信された後、インタレイヤ・アクノレッジメントを送信すること、をさらに備える請求項５に記載の方法。
【請求項７】
前記第２のｅノードＢからのインジケーションが受信された後、直ちに、前記第２のｅノードＢへアクノレッジメントを送信すること、をさらに備える請求項１に記載の方法。
【請求項８】
インタレイヤ・アクノレッジメントが、媒体アクセス制御（ＭＡＣ）レイヤから受信された場合、前記第２のｅノードＢへアクノレッジメントを送信すること、をさらに備える請求項１に記載の方法。
【請求項９】
無線通信の方法であって、
インジケーションを第２のｅノードＢから受信することと、
第１のｅノードＢにおいて、前記インジケーションに少なくとも部分的に基づいて、サブフレーム・インタレースをほぼブランクなサブフレーム・インタレースへ動的に変化させることを決定することと、
前記ほぼブランクなサブフレーム・インタレースにおける新たなデータ送信を禁止することと、前記ほぼブランクなサブフレーム・インタレースにおけるペンディングの再送信を禁止することとによって、前記決定にしたがい、前記サブフレーム・インタレースを、ブランクでないサブフレーム・インタレースから前記ほぼブランクなサブフレーム・インタレースへ移行させることと、
前記サブフレーム・インタレースにおいてスケジュールされることを待っているすべてのペンディングの再送信を停止し、対応するパケットを破棄することと、
を備える方法。
【請求項１０】
インタレイヤ・アクノレッジメントおよびアクノレッジメントのうちの少なくとも１つを前記第２のｅノードＢへ送信すること、をさらに備える請求項９に記載の方法。
【請求項１１】
無線通信のための装置であって、
インジケーションを第２のｅノードＢから受信する手段と、
第１のｅノードＢにおいて、前記インジケーションに少なくとも部分的に基づいて、サブフレーム・インタレースをほぼブランクなサブフレーム・インタレースへ動的に変化させることを決定する手段と、
前記ほぼブランクなサブフレーム・インタレースにおける新たなデータ送信を禁止することと、前記ほぼブランクなサブフレーム・インタレースにおける再送信を許可することとによって、前記決定にしたがい、前記サブフレーム・インタレースを、ブランクでないサブフレーム・インタレースから前記ほぼブランクなサブフレーム・インタレースへ移行させる手段と、
を備える装置。
【請求項１２】
無線通信のための装置であって、
インジケーションを第２のｅノードＢから受信する手段と、
第１のｅノードＢにおいて、前記インジケーションに少なくとも部分的に基づいて、サブフレーム・インタレースをほぼブランクなサブフレーム・インタレースへ動的に変化させることを決定する手段と、
前記ほぼブランクなサブフレーム・インタレースにおける新たなデータ送信を禁止することと、前記ほぼブランクなサブフレーム・インタレースにおけるペンディングの再送信を禁止することとによって、前記決定にしたがい、前記サブフレーム・インタレースを、ブランクでないサブフレーム・インタレースから前記ほぼブランクなサブフレーム・インタレースへ移行させる手段と、
前記サブフレーム・インタレースにおいてスケジュールされることを待っているすべてのペンディングの再送信を停止し、対応するパケットを破棄する手段と、
を備える装置。
【請求項１３】
無線ネットワークにおける無線通信のためのプログラム・コードを記憶したコンピュータ読取可能な記憶媒体であって、
前記プログラム・コードは、
インジケーションを第２のｅノードＢから受信するためのプログラム・コードと、
第１のｅノードＢにおいて、前記インジケーションに少なくとも部分的に基づいて、サブフレーム・インタレースをほぼブランクなサブフレーム・インタレースへ動的に変化させるように決定するためのプログラム・コードと、
前記ほぼブランクなサブフレーム・インタレースにおける新たなデータ送信を禁止することと、前記ほぼブランクなサブフレーム・インタレースにおける再送信を許可することとによって、前記インジケーションにしたがい、前記サブフレーム・インタレースを、ブランクでないサブフレーム・インタレースから前記ほぼブランクなサブフレーム・インタレースへ移行させるためのプログラム・コードと
を備える、コンピュータ読取可能な記憶媒体。
【請求項１４】
無線ネットワークにおける無線通信のためのプログラム・コードを記憶したコンピュータ読取可能な記憶媒体であって、
前記プログラム・コードは、
インジケーションを第２のｅノードＢから受信するためのプログラム・コードと、
第１のｅノードＢにおいて、前記インジケーションに少なくとも部分的に基づいて、サブフレーム・インタレースをほぼブランクなサブフレーム・インタレースへ動的に変化させるためのプログラム・コードと、
前記ほぼブランクなサブフレーム・インタレースにおける新たなデータ送信を禁止することと、前記ほぼブランクなサブフレーム・インタレースにおけるペンディングの再送信を禁止することとによって、前記インジケーションにしたがい、前記サブフレーム・インタレースを、ブランクでないサブフレーム・インタレースから前記ほぼブランクなサブフレーム・インタレースへ移行させるためのプログラム・コードと、
前記サブフレーム・インタレース上でスケジュールされるべきであったすべてのペンディングの再送信を停止し、対応するパケットを破棄するためのプログラム・コードと
を備える、コンピュータ読取可能な記憶媒体。
【請求項１５】
無線通信のための装置であって、
メモリと、
前記メモリに接続された少なくとも１つのプロセッサとを備え、
前記少なくとも１つのプロセッサは、
インジケーションを第２のｅノードＢから受信し、
第１のｅノードＢにおいて、前記インジケーションに少なくとも部分的に基づいて、サブフレーム・インタレースをほぼブランクなサブフレーム・インタレースへ動的に変化させ、
前記ほぼブランクなサブフレーム・インタレースにおける新たなデータ送信を禁止することと、前記ほぼブランクなサブフレーム・インタレースにおける再送信を許可することとによって、前記インジケーションにしたがい、前記サブフレームを、ブランクでないサブフレーム・インタレースから前記ほぼブランクなサブフレーム・インタレースへ移行させる
ように構成された、装置。
【請求項１６】
前記許可することは、予め定められた期間なされる、請求項１５に記載の装置。
【請求項１７】
前記期間の終了後、残りすべてのペンディングの再送信が破棄され、対応するパケットは欠陥であると考えられる、請求項１６に記載の装置。
【請求項１８】
前記プロセッサはさらに、前記予め定められた期間の終了後、インタレイヤ・アクノレッジメントを送信するように構成された、請求項１６に記載の装置。
【請求項１９】
前記許可することは、すべてのペンディングの再送信に対してなされる、請求項１５に記載の装置。
【請求項２０】
前記プロセッサはさらに、すべてのペンディングの再送信が送信された後、インタレイヤ・アクノレッジメントを送信するように構成された、請求項１５に記載の装置。
【請求項２１】
前記プロセッサはさらに、前記第２のｅノードＢからのインジケーションが受信された後、直ちに、前記第２のｅノードＢへアクノレッジメントを送信するように構成された、請求項１５に記載の装置。
【請求項２２】
前記プロセッサはさらに、インタレイヤ・アクノレッジメントが、媒体アクセス制御（ＭＡＣ）レイヤから受信された場合、前記第２のｅノードＢへアクノレッジメントを送信するように構成された、請求項１５に記載の装置。
【請求項２３】
無線通信のための装置であって、
メモリと、
前記メモリに接続された少なくとも１つのプロセッサとを備え、
前記少なくとも１つのプロセッサは、
インジケーションを第２のｅノードＢから受信し、
第１のｅノードＢにおいて、前記インジケーションに少なくとも部分的に基づいて、サブフレーム・インタレースをほぼブランクなサブフレーム・インタレースへ動的に変化させ、
前記ほぼブランクなサブフレーム・インタレースにおける新たなデータ送信を禁止することと、前記ほぼブランクなサブフレーム・インタレースにおけるペンディングの再送信を禁止することとによって、前記インジケーションにしたがい、前記サブフレーム・インタレースを、ブランクでないサブフレーム・インタレースから前記ほぼブランクなサブフレーム・インタレースへ移行させ、
前記サブフレーム・インタレース上でスケジュールされるべきであったすべてのペンディングの再送信を停止し、対応するパケットを破棄する
ように構成された、装置。
【請求項２４】
前記プロセッサはさらに、インタレイヤ・アクノレッジメントおよびアクノレッジメントのうちの少なくとも１つを前記第２のｅノードＢへ送信するように構成された、請求項２３に記載の装置。
【発明の詳細な説明】
【技術分野】
【０００１】
本開示の態様は、一般に、無線通信システムに関し、さらに詳しくは、適応リソース区分情報（ＡＲＰＩ）を有するヘテロジニアスなネットワークにおける状態間での移行に関する。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００３】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００４】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００５】
モバイル・ブロードバンド・アクセスに対する需要が増加し続けているので、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００６】
１つの態様は、動的に変化するサブフレーム・インタフェースの移行挙動と、この変化中における基地局の対応する挙動とを開示する。
【０００７】
１つの態様では、無線通信の方法が開示される。この方法は、サブフレーム・インタレースを禁止サブフレーム・インタレースへ動的に変化させるための要求を第２のｅノードＢから受信することを含む。「禁止」という用語は、（１）すべてのＵＥに対して禁止されていることと、（２）あるクラスのＵＥに対して禁止されていることと、の両方を称することが注目される。サブフレーム・インタレースは、この要求にしたがって、禁止サブフレーム・インタレースにおける新たなデータ送信を禁止することと、禁止サブフレーム・インタレースにおける再送信を許可することとによって、禁止サブフレーム・インタレースへ移行する。
【０００８】
別の態様は、無線通信の方法を開示し、サブフレーム・インタレースを禁止サブフレーム・インタレースへ動的に変化させるための要求を第２のｅノードＢから受信することを含む。サブフレーム・インタレースは、この要求にしたがって、禁止サブフレーム・インタレースにおける新たなデータ送信を禁止することと、禁止サブフレーム・インタレースにおけるペンディングの再送信を禁止することとによって、禁止サブフレーム・インタレースへ移行する。サブフレーム・インタレースにおけるスケジューリングを待っているすべてのペンディングの再送信が停止され、対応するパケットが破棄される。
【０００９】
別の態様では、無線通信のための装置が開示され、サブフレーム・インタレースを禁止サブフレーム・インタレースへ動的に変化させるための要求を第２のｅノードＢから受信する手段を含んでいる。さらには、この要求にしたがって、禁止サブフレーム・インタレースにおける新たなデータ送信を禁止することと、禁止サブフレーム・インタレースにおける再送信を許可することと、によって、サブフレーム・インタレースを禁止サブフレーム・インタレースへ移行させるための手段が含まれている。
【００１０】
別の態様は、サブフレーム・インタレースを禁止サブフレーム・インタレースへ動的に変化させるための要求を第２のｅノードＢから受信する手段を含む装置を開示する。さらに、この要求にしたがって、禁止サブフレーム・インタレースにおける新たなデータ送信を禁止することと、禁止サブフレーム・インタレースにおけるペンディングの再送信を禁止することとによって、サブフレーム・インタレースを禁止サブフレーム・インタレースへ移行させるための手段もまた含まれる。さらには、サブフレーム・インタレース上でスケジュールされるべきであったすべてのペンディングの再送信を停止させ、対応するパケットを廃棄する手段もまた含まれる。
【００１１】
別の態様では、無線ネットワークにおける無線通信のためのコンピュータ・プログラム製品が開示される。コンピュータ読取可能な媒体は、プロセッサ（単数または複数）によって実行された場合、プロセッサ（単数または複数）に対して、サブフレーム・インタレースを禁止サブフレーム・インタレースへ動的に変化させるための要求を第２のｅノードＢから受信する動作を実行させる、記録されたプログラム・コードを有する。このプログラム・コードは、さらに、この要求にしたがって、禁止サブフレーム・インタレースにおける新たなデータ送信を禁止することと、禁止サブフレーム・インタレースにおける再送信を許可することとによって、プロセッサ（単数または複数）に対して、サブフレーム・インタレースを禁止サブフレーム・インタレースへ移行させる。
【００１２】
別の態様は、無線ネットワークにおける無線通信のためのコンピュータ・プログラム製品を開示する。コンピュータ読取可能な媒体は、プロセッサ（単数または複数）によって実行された場合、プロセッサ（単数または複数）に対して、サブフレーム・インタレースを禁止サブフレーム・インタレースへ動的に変化させるための要求を第２のｅノードＢから受信する動作を実行させる、記録されたプログラム・コードを有する。プログラム・コードさらに、この要求にしたがって、禁止サブフレーム・インタレースにおける新たなデータ送信を禁止することと、禁止サブフレーム・インタレースにおけるペンディングの再送信を禁止することとによって、プロセッサ（単数または複数）に対して、サブフレーム・インタレースを禁止サブフレーム・インタレースへと移行させる。このプログラム・コードはまた、プロセッサ（単数または複数）に対して、サブフレーム・インタレース上でスケジュールされるべきであったすべてのペンディングの再送信を停止させ、対応するパケットを破棄させる。
【００１３】
別の態様は、メモリと、メモリに接続された少なくとも１つのプロセッサとを有する、無線通信装置を開示する。プロセッサ（単数または複数）は、サブフレーム・インタレースを禁止サブフレーム・インタレースへ動的に変化させるための要求を第２のｅノードＢから受信するように構成される。このプロセッサ（単数または複数）はまた、この要求にしたがって、禁止サブフレーム・インタレースにおける新たなデータ送信を禁止することと、禁止サブフレーム・インタレースにおける再送信を許可することとによって、サブフレーム・インタレースを禁止サブフレーム・インタレースへ移行させるように構成される。
【００１４】
別の態様では、無線通信装置は、メモリと、メモリに接続された少なくとも１つのプロセッサとを有する。プロセッサ（単数または複数）は、サブフレーム・インタレースを禁止サブフレーム・インタレースへ動的に変化させるための要求を第２のｅノードＢから受信するように構成される。プロセッサ（単数または複数）はまた、この要求にしたがって、禁止サブフレーム・インタレースにおける新たなデータ送信を禁止することと、禁止サブフレーム・インタレースにおけるペンディングの再送信を禁止することとによって、サブフレーム・インタレースを禁止サブフレーム・インタレースへ移行させるように構成される。さらに、プロセッサ（単数または複数）は、サブフレーム・インタレース上でスケジュールされるべきであったすべてのペンディングの再送信を停止させ、対応するパケットを破棄させるように構成される。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、本開示の１つの態様にしたがうヘテロジニアスなネットワークにおける適応リソース区分を概念的に例示するブロック図である。
【図４】図４は、本開示の１つの態様にしたがって構成された基地局／ｅノードＢとＵＥとの設計を概念的に例示するブロック図である。
【図５Ａ】図５Ａは、ＡＲＰＩ変化中における移行挙動を例示する。
【図５Ｂ】図５Ｂは、ＡＲＰＩ変化中における移行挙動を例示する。
【図５Ｃ】図５Ｃは、ＡＲＰＩ変化中における移行挙動を例示する。
【図５Ｄ】図５Ｄは、ＡＲＰＩ変化中における移行挙動を例示する。
【図６】図６は、本開示の１つの態様にしたがって、無線ネットワークにおいて、適応リソース区分情報（ＡＲＰＩ）を変化させるイベントを例示するコール・フロー図である。
【図７Ａ】図７Ａは、本開示の１つの態様にしたがって、ＡＮサブフレーム・インタレースになるサブフレーム・インタレースを例示する。
【図７Ｂ】図７Ｂは、本開示の１つの態様にしたがって、ＡＮサブフレーム・インタレースになるサブフレーム・インタレースを例示する。
【図７Ｃ】図７Ｃは、本開示の１つの態様にしたがって、ＡＮサブフレーム・インタレースになるサブフレーム・インタレースを例示する。
【図８】図８は、本開示の１つの態様にしたがって、ＡＰＲＩ変化中に起動される期間を例示する。
【図９】図９は、１つの態様にしたがって、適応リソース区分情報（ＡＲＰＩ）を用いた無線ネットワークにおける媒体アクセス制御（ＭＡＣ）レイヤと上部レイヤとの間のインタラクションを例示するコール・フロー図である。
【図１０Ａ】図１０Ａは、本開示にしたがって、ｅノードＢを新たな適応リソース区分情報に移行させるための方法を例示するブロック図である。
【図１０Ｂ】図１０Ｂは、本開示にしたがって、ｅノードＢを新たな適応リソース区分情報に移行させるための方法を例示するブロック図である。
【発明を実施するための形態】
【００１７】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。用語「セル」は、この用語が使用される文脈に依存して、有効通信範囲エリアにサービス提供しているｅノードＢおよび／またはｅノードＢサブシステムからなるこの特定の地理的有効通信範囲エリアを称しうる。
【００２０】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連付けを持つＵＥ（例えば、クローズド加入者グループ（ＣＳＧ）におけるＵＥ、住宅内のユーザのためのＵＥ等）による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２１】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２２】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２３】
無線ネットワーク１００は、同期動作をサポートしうる。同期動作の場合、ｅノードＢは、類似のフレーム・タイミングを有し、異なるｅノードＢからの送信は、時間的にほぼ揃えられうる。１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２４】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２５】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印を持つ実線が、ＵＥと、ダウンリンクおよび／またはアップリンクでＵＥにサービス提供するように指定されたｅノードＢであるサービス提供ｅノードＢとの間の所望の送信を示す。両矢印を持つ破線は、ＵＥとｅノードＢとの間の干渉送信を示す。
【００２６】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２７】
図２は、ＬＴＥにおいて使用されるダウンリンクＦＤＤフレーム構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００２８】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２９】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３０】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３１】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００３２】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３３】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３４】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図１０Ａ−１０Ｂの使用方法フローチャートに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３５】
ＵＥは複数のｅノードＢの有効通信範囲内に存在しうる。そして、ＵＥにサービス提供するために、これらｅノードＢのうちの１つが選択されうる。サービス提供するｅノードＢは、限定される訳ではないが、例えば受信電力、経路喪失、信号対雑音比（ＳＮＲ）等のようなさまざまな基準に基づいて選択されうる。
【００３６】
例えば無線ネットワーク１００のようなヘテロジニアスなネットワークの構成では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連付けによって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つでの送信を停止させることに合意する。これによって、ＵＥ１２０ｙは、同じチャネルを介してｅノードＢ１１０ｃと通信する場合ほど、フェムト１１０ｙからの干渉を受けなくなるであろう。
【００３７】
このような支配的な干渉シナリオでは、同期システムにおいてでさえも、ＵＥと複数のｅノードＢとの間の距離が異なることにより、ＵＥで観察される信号電力の不一致に加えて、ダウンリンク信号のタイミング遅れもＵＥによって観察されうる。同期システムにおけるｅノードＢは、システムを超えて、推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、時間トラッキング・ループ（ＴＬＬ）誤差のレベルに近づきうる。
【００３８】
支配的な干渉シナリオはまた、範囲拡張によっても生じうる。これは、ＵＥによって検出されたｅノードＢの中でも低い信号対雑音比（ＳＮＲ）を持つｅノードＢにＵＥが接続するシナリオである。例えば、図１では、ＵＥ１２０ｘは、マクロｅノードＢ１１０ｂとピコｅノードＢ１１０ｘとを検出し、そして、ｅノードＢ１１０ｘについて、ｅノードＢ１１０ｂよりも低い受信電力を有する。それでもやはり、ｅノードＢ１１０ｘの経路喪失が、マクロｅノードＢ１１０ｂの経路喪失よりも低いのであれば、ＵＥ１２０ｘがピコｅノードＢ１１０ｘに接続することが望ましい。この結果、ＵＥ１２０ｘにとって、所与のデータ・レートの場合、無線ネットワークへの干渉が低くなりうる。
【００３９】
例えば無線ネットワーク１００のような無線ネットワークにおいてイネーブルされた範囲拡大を用いて、ＵＥが、より強いダウンリンク信号を持つマクロ基地局の存在下において、低電力の基地局（すなわち、ピコまたはフェムト基地局）からサービスを取得できるように、または、ＵＥが、ＵＥが接続することを許可されていないフェムト基地局からのより強い干渉信号の存在下において、マクロ基地局からサービスを取得できるように、ＵＥとサービス提供基地局との間の制御送信およびデータ送信をイネーブルするために、エンハンスされたセル間干渉調整（ｅＩＣＩＣ）が使用され、いくつかのリソースを放棄した干渉元の基地局が調整される。ネットワークがｅＩＣＩＣをサポートする場合、基地局は、リソースの一部を放棄する干渉元のセルによる干渉を低減／除去するために、リソースを調整するように互いにネゴシエートする。これによって、ＵＥは、干渉元のセルによって放棄されたリソースを用いることによって、厳しい干渉を伴う場合であっても、サービス提供セルにアクセスしうる。
【００４０】
メンバであるフェムトＵＥのみがセルにアクセスできるクローズド・アクセス・モードのフェムト・セルが、マクロ・セルの有効通信範囲領域内に存在する場合、マクロ・セル内の有効通信範囲の無効化が生じうる。このフェムト・セルに、リソースのいくつかを放棄させることによって、フェムト・セル有効通信範囲領域内のＵＥは、フェムト・セルによって放棄されたリソースを用いることによって、サービス提供マクロ・セルにアクセスしうる。例えばＥ−ＵＴＲＡＮのように、ＯＦＤＭを用いたラジオ・アクセス・システムでは、これら放棄されたリソースは、時間ベースであるか、周波数ベースであるか、あるいは、これらの組み合わせでありうる。放棄されたリソースが時間ベースである場合、干渉元のセルは、アクセス可能なサブフレームのうちのいくつかを、時間領域において使用することを控える。これら放棄されたリソースが周波数ベースである場合、干渉元のセルは、周波数領域でアクセス可能なサブキャリアのうちのいくつかを使用しない。放棄されたリソースが、周波数と時間との両方の組み合わせである場合、干渉元のセルは、周波数および時間によって定義されるリソースを使用しない。
【００４１】
ｅＩＣＩＣをサポートするＵＥの場合、ＲＬＦ条件を分析するための既存の基準は、調整セルの条件に満足に対処できないことがありうる。リソースの一部を放棄した干渉元のセルによって、基地局間で干渉が調整されている厳しい干渉を伴う領域内にＵＥが存在する場合、ＰＤＣＣＨの復号誤り率または信号対雑音比であるＵＥ測定値は、干渉元のセルによってリソースが放棄されたか否かに依存して、大幅に変動しうる。干渉元のセルによって放棄されなかったリソースのＰＤＣＣＨの復号誤り率または信号対雑音比をＵＥが測定した場合、ＵＥは、干渉元のセルによって放棄されたリソースを用いて、サービス提供セルにアクセスしても、高い干渉によって、誤ってＲＬＦを宣言しうる。
【００４２】
ヘテロジニアスなネットワークは、同一チャネル配置におけるセルからの干渉を低減するために、セル間干渉調整（ＩＣＩＣ）を使用しうる。１つのＩＣＩＣメカニズムは、時分割多重（ＴＤＭ）区分である。ＴＤＭ区分では、サブフレームは、あるｅノードＢに割り当てられる。第１のｅノードＢに割り当てられたサブフレームでは、近隣のｅノードＢは送信しない。したがって、第１のｅノードＢによってサービス提供されるＵＥによってもたらされる干渉が低減される。サブフレーム割当は、アップリンク・チャネルとダウンリンク・チャネルとの両方で実行されうる。
【００４３】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）間で割り当てられうる。保護サブフレームは、第１のｅノードＢによる限定的な使用のために第１のｅノードＢに割り当てられる。保護サブフレームはまた、近隣のｅノードＢからの干渉が無いことに基づいて、「クリーンな」サブフレームとも称される。禁止サブフレームは、近隣のｅノードＢに割り当てられたサブフレームであり、第１のｅノードＢは、禁止サブフレームの間、データを送信することを禁じられる。例えば、第１のｅノードＢの禁止サブフレームは、第２の干渉元のｅノードＢの保護サブフレームに対応しうる。したがって、第１のｅノードＢは、第１のｅノードＢの保護サブフレームの間にデータを送信している唯一のｅノードＢである。共通サブフレームは、複数のｅノードＢによるデータ送信のために使用されうる。共通サブフレームはまた、別のｅノードＢからの干渉の可能性があることから、「クリーンではない」サブフレームとも称されうる。
【００４４】
期間毎に、少なくとも１つの保護サブフレームが静的に割り当てられる。ある場合には、１つの保護サブフレームのみが静的に割り当てられる。例えば、期間が８ミリ秒である場合、１つの保護サブフレームが、毎８ミリ秒の間に、ｅノードＢに静的に割り当てられうる。他のサブフレームは動的に割り当てられうる。
【００４５】
適応リソース区分情報（ＡＲＰＩ）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満のように、迅速に変化しうる。
【００４６】
ヘテロジニアスなネットワークは、異なる電力クラスのｅノードＢを有しうる。例えば、マクロｅノードＢ、ピコｅノードＢ、およびフェムトｅノードＢのように、電力クラスが減少する３つの電力クラスが定義されうる。マクロｅノードＢ、ピコｅノードＢ、およびフェムトｅノードＢが同一チャネルに配置されている場合、マクロｅノードＢ（攻撃ｅノードＢ）の電力スペクトル密度（ＰＳＤ）は、ピコｅノードＢおよびフェムトｅノードＢ（犠牲ｅノードＢｓ）の電力スペクトル密度よりも大きく、ピコｅノードＢとフェムトｅノードＢとに多大な干渉をもたらしうる。保護サブフレームは、ピコｅノードＢおよびフェムトｅノードＢとの干渉を低減または最小化するために使用されうる。すなわち、保護サブフレームは、犠牲ｅノードＢが、攻撃ｅノードＢにおける禁止サブフレームに対応するようにスケジュールされうる。
【００４７】
図３は、本開示の１つの態様にしたがうヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロトｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００４８】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受ける拡張境界エリア（ＥＢＡ）について低くなりうる。ＥＢＡ  ＵＥは、第１のｅノードＢに属するのみならず、第２のｅノードＢの有効通信範囲エリア内にも位置しうる。例えば、フェムトｅノードＢ有効通信範囲の範囲限界近傍のマクロｅノードＢと通信するＵＥは、ＥＢＡ  ＵＥである。
【００４９】
無線ネットワークにおいて生じるイベントに応じて、適応リソース区分情報（ＡＲＰＩ）が変化し、無線ネットワークのｅノードＢ間にサブフレームを動的に再割当しうる。例えば、犠牲ｅＮｏｄｅＢにおいて負荷が増加することに応じて、攻撃ｅノードＢ（単数または複数）は、いくつかのリソースまたはサブフレームを放棄することを要求されうる。解放されたサブフレームはその後、犠牲ｅノードＢに割り当てられうる。サブフレームが再割当された場合、サブフレームの切り換えがなされる過渡期が生じ、これは、ＨＡＲＱ処理にインパクトを与えうる。
【００５０】
図６は、マクロｅノードＢ６０２、フェムトｅノードＢ６０４、および別のマクロｅノードＢ６０６を含み、適応リソース区分情報（ＡＲＰＩ）を変化させる無線ネットワークにおけるイベントを例示するコール・フローである。時間６１２では、第１のマクロｅノード６０２が、無線ネットワークにおける１つのサブフレームを要求することを決定し、リソース要求をフェムトｅノードＢ６０４へ送信する。時間６１４では、フェムトｅノードＢ６０４が、このリソース要求を第１のマクロｅノードＢ６０２へアクノレッジし、リソース・インジケーション・メッセージを第２のマクロｅノードＢ６０６へ送信して、ＡＲＰＩにおける変化が示される。フェムトｅノードＢ６０４のリソース・マップも更新される。
【００５１】
その後、時間６１６では、第２のマクロｅノードＢ６０６が、他の２つのサブフレームを要求することを決定し、リソース要求メッセージをフェムトｅノードＢ６０４へ送信する。時間６１８では、フェムトｅノードＢ６０４が、このリソース要求のアクノレッジメントを第２のマクロｅノードＢ６０６へ送信し、リソース・インジケーション・メッセージを第１のマクロｅノードＢ６０２へ送信する。その後、フェムトｅノードＢ６０４のリソース・マップが更新される。
【００５２】
時間６２０では、第１のマクロｅノードＢ６０２が、すべてのサブフレームを解放することを決定し、リソース要求メッセージをフェムトｅノードＢ６０４へ送信する。第１のマクロｅノードＢ６０２は、第１のマクロｅノードＢ６０２の負荷が低減したことにより、すべてのサブフレームを解放することを決定しうる。時間６２２では、フェムトｅノードＢが、第１のマクロｅノードＢ６０２にアクノレッジメントを送信し、リソース・インジケーション・メッセージを第２のマクロｅノードＢ６０６へ送信する。フェムトｅノードＢ６０４のリソース・マップは更新されない。フェムトｅノードＢ６０４のリソース・マップは、第１のマクロｅノードＢ６０２によって解放されたサブフレームを含むように更新されない。なぜなら、フェムトｅノードＢ６０４は、第２のマクロｅノードＢ６０６によって制限されるからである。
【００５３】
サブフレーム区分は、ｅノードＢのインタレイヤ通信にインパクトを与える。特に、サブフレーム区分化は、上部レイヤにおいて決定される。無線ネットワークにおいてＡＲＰＩが変化した場合、ｅノードＢの上部レイヤは、媒体アクセス制御（ＭＡＣ）レイヤに、このｅノードＢを通知する。これは、更新されたＡＲＰＩに適合する。さらに、ｅノードＢは、例えばバックホール・シグナリングによって、要求元のｅノードＢの上部レイヤへ、ＡＲＰＩにおける変化をアクノレッジする。ＡＲＰＩを更新することによって得られるｅノードＢのＭＡＣレイヤにおける変化は、以下におけるいくつかの例で説明されるだろう。
【００５４】
ＡＮ（禁止）として以前に印されたｅノードＢにおけるサブフレーム・インタレースが、ＡＵ（保護）またはＡＣ（共通）に変化した場合、ｅノードＢスケジューラが、このｅノードＢの上部レイヤからの通知が受信されるや否や、このサブフレーム・インタレースにおいて新たな送信をスケジュールしうる。１つの態様によれば、ｅノードＢスケジューラは、例えばチャネル品質インジケータ（ＣＱＩ）レポートのようなチャネル品質情報の利用可能性に少なくとも部分的に基づいて、送信をスケジュールする。ＡＵまたはＡＣに類似したサブフレームのチャネル品質情報が利用可能ではない場合、ｅノードＢスケジューラは、関連するチャネル品質情報が利用可能になるまで待機しうるか、または、別のサブフレーム・クラスに属するチャネル品質情報から推定されるチャネル品質を導出しうる。この情報が異なるクラスに属する場合、ｅノードＢは、この推定を改善するために、バックオフ・アルゴリズムを適用しうる。
【００５５】
ＡＣ（共通）として以前に印されたｅノードＢにおけるサブフレーム・インタレースが、ＡＵ（保護）に変化した場合、ｅノードＢスケジューラは、このサブフレーム・インタレースにおける送信をスケジュールし続けうる。したがって、例えば、ＵＥや変調および符号化スキーム（ＭＣＳ）を選択することのように、ｅノードＢにおけるスケジュール決定を行うためのチャネル品質情報が、非クリーンからクリーンに変化する。
【００５６】
ＡＵ（保護）として以前に印されたｅノードＢにおけるサブフレーム・インタレースがＡＣ（共通）に変化した場合、ｅノードＢスケジューラは、このサブフレーム・インタレースにおける送信をスケジュールし続けうるが、このサブフレーム・インタレースによってサービス提供されるＵＥを、非拡大境界領域（ＥＢＡ）のＵＥへ限定しうる。１つの態様によれば、このサブフレーム・インタレースにおいてｅノードＢスケジューラによってスケジューリング決定を行うためのチャネル品質情報が、クリーンなチャネル品質情報から、非クリーンなチャネル品質情報へ変化する。ペンディング誤り訂正（例えば、ＨＡＲＱ）の取り扱い処理が、以下に説明される。
【００５７】
ＡＵ（保護）またはＡＣ（共通）として以前に印されたｅノードＢにおけるサブフレームがＡＮ（予約）に変化した場合、ｅノードＢスケジューラは、このサブフレーム・インタレースにおける送信をスケジュールすることをやめる。ＡＵ／ＡＣからＡＮへの変化があった場合、ペンディング自動再送信要求（例えば、ＨＡＲＱ）処理は、このサブフレーム・インタレースを必要としうる。以下の記載は、ＨＡＲＱに関連しているが、この記載は、任意の自動再送信要求にも適合しうる。
【００５８】
例えば、ＨＡＲＱタイムラインは同期的であるので、アップリンク（ＵＬ）チャネルにおけるペンディングＨＡＲＱ処理がこのサブフレーム・インタレースに存在しうる。すなわち、図７Ａに示すように、ダウンリンク（ＤＬ）送信に関するＡＣＫ／ＮＡＣＫが、サブフレームｎ＋４において、ＵＥによって送信されると予想され、サブフレームｍ＜ｎ＋４において、上部レイヤが、ＭＡＣレイヤに対して、サブフレームｎがＡＮに変化したことを通知した場合、ペンディングＨＡＲＱ処理は、このインタレースで終了しない場合がある。
【００５９】
図７Ｂに例示される別の例では、アップリンク（ＵＬ）送信に関するＡＣＫ／ＮＡＣＫが、サブフレームｎにおいて、ｅノードＢによって送信されると予想され、サブフレームｍ＜ｎにおいて、上部レイヤが、ＭＡＣレイヤに対して、サブフレームｎがＡＮに変化したことを通知した場合、ペンディングＨＡＲＱ処理は、このサブフレーム・インタレースで終了しない場合がある。さらに、図７Ｃに例示されるように、アップリンク送信が、ｅノードＢによって否定的にアクノレッジされた場合、ＵＥは、サブフレームｎ＋４においてパケットを再送信する。サブフレームｍ＜ｎ＋４において、上部レイヤが、ＭＡＣレイヤに対して、サブフレームｎ＋４がＡＮに変化したと通知した場合、サブフレームｎ＋４はＵＬ送信についてＡＮとなり、ＵＥは、再送信を完了することができない。
【００６０】
１つの態様によれば、禁止サブフレームにおける再送信は、パケットがアクノレッジされるまで、または、再送信のための最大試行回数に達するまで続けられうる。禁止サブフレームにおける再送信の間、要求されたサブフレームは解放されていないので、無線ネットワークは、干渉調整を完了することができない。したがって、ネットワーク上のｅノードＢを、新たなＡＲＰＩに移行させる必要がある。
【００６１】
第１の態様によれば、アクノレッジメントをソースｅノードＢへ送信する前の予め定められた期間を定義するために、ＡＲＰＩ変化が生じる毎にタイマを起動させうる。図５Ａは、タイマ・ベースのインタラクションの例を例示する。ブロック５１０では、ｅノードＢの上部レイヤが、ＡＲＰＩ変化をＭＡＣレイヤに通知する。ブロック５１２では、タイマが起動される。ブロック５１４では、タイマが終了し、スケジューラは、ソースｅノードＢへアクノレッジメントを送信することを許可される。タイマは、ＨＡＲＱ処理をうまく終了できるようにすることによって、ＡＲＰＩ変化後に、無線ネットワークを移行させることを改善する。例えば、タイマ期間後、ｅノードＢスケジューラは、解放されたサブフレーム・インタレースでのみ再送信をスケジュールしうる。すなわち、ｅノードＢスケジューラは、解放されたサブフレームにおける送信のための新たなデータを許可しない。１つの態様によれば、タイマがｅノードＢにおいて実施された場合、新たな過渡状態が定義される。図８では、この過渡状態がＡＮ’（すなわち、ＡＮダッシュ）として識別される。ＡＮ’過渡状態は、タイマ期間中、保護サブフレーム（ＡＵ）インタレースから禁止サブフレーム（ＡＮ）インタレースへ移行するために定義されうる。あるいは、別の例では、過渡状態ＡＮ’（すなわち、ＡＮダッシュ）は、共通サブフレーム（ＡＣ）インタレースから禁止サブフレーム（ＡＮ）インタレースへの移行のために定義されうる。過渡状態の間、サブフレームは、新たなパケットをスケジュールするために使用されないが、再送信は許可される。１つの構成では、要求元のｅノードＢへのアクノレッジメントは暗黙的である。この構成は、要求元のｅノードＢにおいて、同じ持続期間、タイマを設定することによってイネーブルされる。
【００６２】
第２の態様によれば、ＭＡＣレイヤが未だに再送信のためにサブフレーム・インタレースを使用している場合であっても、上部レイヤは、ＡＲＰＩ変化を要求元のｅノードＢへアクノレッジしうる。要求元のｅノードＢへのアクノレッジメントは、バックホール・ネットワークにおける伝搬遅延によって遅延される。伝播遅延によって、解放されたサブフレームを用いるＨＡＲＱ処理が終了する。伝播遅延は、無線ネットワークにおいて、非決定論的なタイマの役割をしうる。図５Ｂは、伝播遅延に基づいたインタラクションの例を例示する。ブロック５２０では、ｅノードＢの上部レイヤが、ＭＡＣレイヤに、ＡＲＰＩ変化を通知する。ブロック５２２では、上部レイヤが、直ちにソースｅノードＢにアクノレッジメントを送信する。
【００６３】
第３の態様によれば、ＡＲＰＩ変化が生じ、すべてのＨＡＲＱ処理が完了した場合、インタレイヤ・アクノレッジメントが送信される。すなわち、ＭＡＣレイヤは、サブフレーム・インタレースを用いたＨＡＲＱ処理が完了した後、上部レイヤへアクノレッジメントを送信しうる。上部レイヤは、その後、要求元のｅノードＢへシグナルしうる。図５Ｃは、例を示す。ここでは、ＡＲＰＩ変化がブロック５３０において生じる。ブロック５３２では、ＨＡＲＱ処理が完了し、その後、ブロック５３４において、ＭＡＣレイヤが、上部レイヤへアクノレッジメントを送信する。ｅノードＢは、ＡＲＰＩが変化している時間と、サブフレーム・インタレースを用いたＨＡＲＱ処理が完了した後のアクノレッジメントの送信との間、過渡状態に入りうる。１つの態様によれば、ＨＡＲＱ試行の最大数は、レイテンシおよびオーバヘッドを低減または最小化するために、ＡＲＰＩ移行中、低減されうる。別の態様では、再送信の受信がＵＥによってアクノレッジされた後、インタレイヤ・アクノレッジメントが送信される。
【００６４】
第４の態様によれば、図５Ｄに例示されるように、上部レイヤによって通知が受信された場合、ＭＡＣレイヤは、変化したサブフレーム・インタレースにおけるあらゆる送信または再送信のスケジューリングを停止し、すべてのＨＡＲＱ処理を停止する。ブロック５４０では、ＡＲＰＩ変化が生じる。ブロック５４２では、上部レイヤが通知を受信し、ブロック５４４では、ＭＡＣレイヤが、あらゆるデータのスケジューリングを停止する。この場合、誤り復元のために、上部レイヤ技術が依拠されうる。ＭＡＣレイヤは、アクノレッジメントを送信することとともに、送信および再送信をスケジュールすることを停止しうる。例えば、インタレイヤ・アクノレッジメントが送信されうる。そして、変化したサブフレーム・インタレースにおけるあらゆる送信または再送信をスケジュールすることを回避するために、ＨＡＲＱ処理が停止する。１つの態様では、既に過渡状態にあるＡＣＫ処理のためのベース・タイムライン（例えば、４ミリ秒）が未だに存在し、考慮される。
【００６５】
図９は、１つの態様にしたがって、適応リソース区分情報（ＡＲＰＩ）を用いた、媒体アクセス制御（ＭＡＣ）レイヤと上部レイヤとの間のインタラクションを例示するコール・フローである。時間９１０では、マクロｅノードＢ上部レイヤ９０４が、１つのサブフレームを要求することを決定する。時間９１２では、マクロｅノードＢ上部レイヤ９０４が、フェムトｅノードＢ上部レイヤ９０６へリソース要求を送信する。フェムトｅノードＢ上部レイヤ９０６は、時間９１４において、フェムトｅノードＢ  ＭＡＣレイヤ９０８に対して、リソース・ビットマップを更新するように指示する。
【００６６】
時間９１６では、フェムトｅノードＢ  ＭＡＣレイヤが、例えば、放棄されたサブフレームのためのアップリンクＨＡＲＱ処理を保留することによって、更新リソース・ビットマップ・メッセージにしたがってＡＲＰＩを移行させる。時間９１８では、フェムトｅノードＢ上部レイヤ９０６が、リソース・アクノレッジメントをマクロｅノードＢ上部レイヤ９０４へ送信する。マクロｅノードＢ上部レイヤ９０４は、時間９２０において、マクロｅノードＢ  ＭＡＣレイヤ９０２に対して、リソース・ビットマップを更新するように指示する。オプションとして、フェムトｅノードＢ  ＭＡＣレイヤ９０８は、時間９１８の前に、ＡＲＰＩ変化を確認するために、フェムトｅノードＢ上部レイヤ９０６へ、更新リソース・ビットマップ指示のアクノレッジメントを送信しうる。
【００６７】
時間９２１では、マクロｅノードＢ上部レイヤ９０４が、すべてのサブフレームを放棄することを決定する。時間９２２では、マクロｅノードＢ上部のレイヤ９０４が、リソース・ビットマップを更新するようにマクロｅノードＢ  ＭＡＣレイヤ９０２に指示する。時間９２４では、マクロｅノードＢ  ＭＡＣレイヤ９０２が、例えば、すべてのサブフレームのアップリンクＨＡＲＱを保留することによって、更新リソース・ビットマップ指示によって示される新たなＡＲＰＩを移行させる。
【００６８】
時間９２６では、マクロｅノードＢ上部レイヤ９０４が、フェムトｅノードＢ上部レイヤ９０６へ、リソース要求メッセージを送信する。オプションとして、マクロｅノードＢ  ＭＡＣレイヤ９０２は、ＡＲＰＩ変化を確認するために、マクロｅノードＢ上部レイヤ９０４へ更新アクノレッジメントをシグナルしうる。時間９２８では、フェムトｅノードＢ上部レイヤ９０６は、フェムトｅノードＢ  ＭＡＣレイヤ９０８に対して、リソース・ビットマップを更新するように指示する。そして、フェムトｅノードＢ上部レイヤ９０６は、時間９３０において、マクロｅノード上部レイヤ９０４に対して、リソース・アクノレッジメントを送信する。１つの態様によれば、マクロｅノードＢ上部レイヤ９０４とフェムトｅノードＢ上部レイヤ９０６との間で、バックホール・ネットワークを介してメッセージが伝送される。別の態様によれば、メッセージが、任意のネットワークを介して転送されうる。
【００６９】
図１０Ａは、ＡＲＰＩの間、ｅノードＢを移行させるための方法１００１を例示する。ブロック１０１０では、サブフレーム・インタレースを禁止サブフレーム・インタレースへ動的に変化させるための要求が、第２のｅノードＢから受信される。ブロック１０１２では、この要求にしたがって、禁止サブフレーム・インタレースにおけるデータ送信を阻止すること、および、禁止サブフレーム・インタレースの再送信を許可することによって、サブフレーム・インタレースが、禁止サブフレーム・インタレースへ移行される。
【００７０】
図１０Ｂは、ＡＲＰＩの間、ｅノードＢを移行させるための方法１００２を例示する。ブロック１０２０では、サブフレーム・インタレースを禁止サブフレーム・インタレースへ動的に変化させるための要求が、第２のｅノードＢから受信される。ブロック１０２２では、この要求にしたがって、禁止サブフレーム・インタレースにおける新たなデータ送信を阻止すること、および、禁止サブフレーム・インタレースにおけるペンディングの再送信を阻止することによって、サブフレーム・インタレースが、禁止サブフレーム・インタレースへ移行される。ブロック１０２４では、サブフレーム・インタレースにおいてスケジュールされることを待っているすべてのペンディングの再送信が停止され、対応するパケットが破棄される。
【００７１】
１つの構成では、受信する手段を含むｅノードＢ１１０が、無線通信のために構成される。１つの態様では、受信する手段は、受信する手段によって詳述された機能を実行するように構成された受信プロセッサ４３８、復調器４３２ａ−ｔ、コントローラ／プロセッサ４３０、メモリ４４２、およびアンテナ４３４ａ−ｔでありうる。ｅノードＢ１１０はまた、移行させる手段を含むようにも構成されうる。１つの態様では、移行させる手段は、移行させる手段によって詳述された機能を実行するように構成されたコントローラ／プロセッサ４３０およびメモリ４４２でありうる。別の態様では、前述した手段は、前述した手段によって記述された機能を実行するように構成されたモジュールまたは任意の装置でありうる。
【００７２】
別の構成では、受信する手段を含むｅノードＢ１１０が、無線通信のために構成される。１つの態様では、受信する手段は、受信する手段によって詳述された機能を実行するように構成された受信プロセッサ４３８、復調器４３２ａ−ｔ、コントローラ／プロセッサ４３０、メモリ４４２、およびアンテナ４３４ａ−ｔでありうる。ｅノード１１０はまた、移行させる手段を含むようにも構成される。１つの態様では、移行させる手段は、移行させる手段によって詳述された機能を実行するように構成されたコントローラ／プロセッサ４３０およびメモリ４４２でありうる。ｅノード１１０はまた、停止させる手段を含むようにも構成される。１つの態様では、停止させる手段は、停止させる手段によって詳述された機能を実行するように構成されたコントローラ／プロセッサ４３０およびメモリ４４２でありうる。別の態様では、前述した手段は、前述した手段によって記述された機能を実行するように構成されたモジュールまたは任意の装置でありうる。
【００７３】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７４】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７５】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７６】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７７】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に本願発明の当初の特許請求の範囲に記載された発明を付記する。
［Ｃ１］
無線通信の方法であって、
サブフレーム・インタレースを禁止サブフレーム・インタレースへ動的に変化させるための要求を第２のｅノードＢから受信することと、
前記要求にしたがって、前記禁止サブフレーム・インタレースにおける新たなデータ送信を禁止することと、前記禁止サブフレーム・インタレースにおける再送信を許可することとによって、前記サブフレーム・インタレースを、前記禁止サブフレーム・インタレースへ移行させることと、
を備える方法。
［Ｃ２］
前記許可することは、予め定められた期間なされる、Ｃ１に記載の方法。
［Ｃ３］
前記期間の終了後、残りすべてのペンディングの再送信が破棄され、対応するパケットは欠陥であると考えられる、Ｃ２に記載の方法。
［Ｃ４］
前記予め定められた期間の終了後、インタレイヤ・アクノレッジメントを送信すること、をさらに備えるＣ２に記載の方法。
［Ｃ５］
前記許可することは、すべてのペンディングの再送信に対してなされる、Ｃ１に記載の方法。
［Ｃ６］
すべてのペンディングの再送信が送信された後、インタレイヤ・アクノレッジメントを送信すること、をさらに備えるＣ５に記載の方法。
［Ｃ７］
前記第２のｅノードＢからの要求が受信された後、直ちに、前記第２のｅノードＢへアクノレッジメントを送信すること、をさらに備えるＣ１に記載の方法。
［Ｃ８］
インタレイヤ・アクノレッジメントが、媒体アクセス制御（ＭＡＣ）レイヤから受信された場合、前記第２のｅノードＢへアクノレッジメントを送信すること、をさらに備えるＣ１に記載の方法。
［Ｃ９］
無線通信の方法であって、
サブフレーム・インタレースを禁止サブフレーム・インタレースへ動的に変化させるための要求を第２のｅノードＢから受信することと、
前記要求にしたがって、前記禁止サブフレーム・インタレースにおける新たなデータ送信を禁止することと、前記禁止サブフレーム・インタレースにおけるペンディングの再送信を禁止することとによって、前記サブフレーム・インタレースを、前記禁止サブフレーム・インタレースへ移行させることと、
前記サブフレーム・インタレースにおいてスケジュールされることを待っているすべてのペンディングの再送信を停止し、対応するパケットを破棄することと、
を備える方法。
［Ｃ１０］
インタレイヤ・アクノレッジメントおよびアクノレッジメントのうちの少なくとも１つを前記第２のｅノードＢへ送信すること、をさらに備えるＣ９に記載の方法。
［Ｃ１１］
無線通信のための装置であって、
サブフレーム・インタレースを禁止サブフレーム・インタレースへ動的に変化させるための要求を第２のｅノードＢから受信する手段と、
前記要求にしたがって、前記禁止サブフレーム・インタレースにおける新たなデータ送信を禁止することと、前記禁止サブフレーム・インタレースにおける再送信を許可することとによって、前記サブフレーム・インタレースを、前記禁止サブフレーム・インタレースへ移行させる手段と、
を備える装置。
［Ｃ１２］
無線通信のための装置であって、
サブフレーム・インタレースを禁止サブフレーム・インタレースへ動的に変化させるための要求を第２のｅノードＢから受信する手段と、
前記要求にしたがって、前記禁止サブフレーム・インタレースにおける新たなデータ送信を禁止することと、前記禁止サブフレーム・インタレースにおけるペンディングの再送信を禁止することとによって、前記サブフレーム・インタレースを、前記禁止サブフレーム・インタレースへ移行させる手段と、
前記サブフレーム・インタレースにおいてスケジュールされることを待っているすべてのペンディングの再送信を停止し、対応するパケットを破棄する手段と、
を備える装置。
［Ｃ１３］
無線ネットワークにおける無線通信のためのコンピュータ・プログラム製品であって、
記録された非一時的なプログラム・コードを有するコンピュータ読取可能な媒体を備え、前記プログラム・コードは、
サブフレーム・インタレースを禁止サブフレーム・インタレースへ動的に変化させるための要求を第２のｅノードＢから受信するためのプログラム・コードと、
前記要求にしたがって、前記禁止サブフレーム・インタレースにおける新たなデータ送信を禁止することと、前記禁止サブフレーム・インタレースにおける再送信を許可することとによって、前記サブフレーム・インタレースを、前記禁止サブフレーム・インタレースへ移行させるためのプログラム・コードと
を備える、コンピュータ・プログラム製品。
［Ｃ１４］
無線ネットワークにおける無線通信のためのコンピュータ・プログラム製品であって、
記録された非一時的なプログラム・コードを有するコンピュータ読取可能な媒体を備え、前記プログラム・コードは、
サブフレーム・インタレースを禁止サブフレーム・インタレースへ動的に変化させるための要求を第２のｅノードＢから受信するためのプログラム・コードと、
前記要求にしたがって、前記禁止サブフレーム・インタレースにおける新たなデータ送信を禁止することと、前記禁止サブフレーム・インタレースにおけるペンディングの再送信を禁止することとによって、前記サブフレーム・インタレースを、前記禁止サブフレーム・インタレースへ移行させるためのプログラム・コードと、
前記サブフレーム・インタレース上でスケジュールされるべきであったすべてのペンディングの再送信を停止し、対応するパケットを破棄するためのプログラム・コードと
を備える、コンピュータ・プログラム製品。
［Ｃ１５］
無線通信のための装置であって、
メモリと、
前記メモリに接続された少なくとも１つのプロセッサとを備え、
前記少なくとも１つのプロセッサは、
サブフレーム・インタレースを禁止サブフレーム・インタレースへ動的に変化させるための要求を第２のｅノードＢから受信し、
前記要求にしたがって、前記禁止サブフレーム・インタレースにおける新たなデータ送信を禁止することと、前記禁止サブフレーム・インタレースにおける再送信を許可することとによって、前記サブフレーム・インタレースを、前記禁止サブフレーム・インタレースへ移行させる
ように構成された、装置。
［Ｃ１６］
前記許可することは、予め定められた期間なされる、Ｃ１５に記載の装置。
［Ｃ１７］
前記期間の終了後、残りすべてのペンディングの再送信が破棄され、対応するパケットは欠陥であると考えられる、Ｃ１６に記載の装置。
［Ｃ１８］
前記プロセッサはさらに、前記予め定められた期間の終了後、インタレイヤ・アクノレッジメントを送信するように構成された、Ｃ１６に記載の装置。
［Ｃ１９］
前記許可することは、すべてのペンディングの再送信に対してなされる、Ｃ１５に記載の装置。
［Ｃ２０］
前記プロセッサはさらに、すべてのペンディングの再送信が送信された後、インタレイヤ・アクノレッジメントを送信するように構成された、Ｃ１５に記載の装置。
［Ｃ２１］
前記プロセッサはさらに、前記第２のｅノードＢからの要求が受信された後、直ちに、前記第２のｅノードＢへアクノレッジメントを送信するように構成された、Ｃ１５に記載の装置。
［Ｃ２２］
前記プロセッサはさらに、インタレイヤ・アクノレッジメントが、媒体アクセス制御（ＭＡＣ）レイヤから受信された場合、前記第２のｅノードＢへアクノレッジメントを送信するように構成された、Ｃ１５に記載の装置。
［Ｃ２３］
無線通信のための装置であって、
メモリと、
前記メモリに接続された少なくとも１つのプロセッサとを備え、
前記少なくとも１つのプロセッサは、
サブフレーム・インタレースを禁止サブフレーム・インタレースへ動的に変化させるための要求を第２のｅノードＢから受信し、
前記要求にしたがって、前記禁止サブフレーム・インタレースにおける新たなデータ送信を禁止することと、前記禁止サブフレーム・インタレースにおけるペンディングの再送信を禁止することとによって、前記サブフレーム・インタレースを、前記禁止サブフレーム・インタレースへ移行させ、
前記サブフレーム・インタレース上でスケジュールされるべきであったすべてのペンディングの再送信を停止し、対応するパケットを破棄する
ように構成された、装置。
［Ｃ２４］
前記プロセッサはさらに、インタレイヤ・アクノレッジメントおよびアクノレッジメントのうちの少なくとも１つを前記第２のｅノードＢへ送信するように構成された、Ｃ２３に記載の装置。
【図１】
0005547343.tif 000002
【図２】
0005547343.tif 000003
【図３】
0005547343.tif 000004
【図４】
0005547343.tif 000005
【図５Ａ】
0005547343.tif 000006
【図５Ｂ】
0005547343.tif 000007
【図５Ｃ】
0005547343.tif 000008
【図５Ｄ】
0005547343.tif 000009
【図６】
0005547343.tif 000010
【図７Ａ】
0005547343.tif 000011
【図７Ｂ】
0005547343.tif 000012
【図７Ｃ】
0005547343.tif 000013
【図８】
0005547343.tif 000014
【図９】
0005547343.tif 000015
【図１０Ａ】
0005547343.tif 000016
【図１０Ｂ】
0005547343.tif 000017